(57)【要約】      （修正有）【課題】動画像領域の移動速度が速くなると動画ボケ防止のための消灯の開始位相の変更幅も大きくなって、表示画面の輝度の急激な変化によるパカツキが目立つといった問題があった。動画像領域の移動に対して、動画ボケとパカツキの両方を抑制した高画質な映像表示を提供する。【解決手段】映像表示装置は、消灯の開始位相をフレームごとに動画像領域の開始位置に対応した位相までパカツキの目立たない大きさで順次近づけるものであり、動画ボケとパカツキの両方を抑制できる。【選択図】図３
2013061362.tif 000002
【特許請求の範囲】
【請求項１】
入力された映像信号を映し出す映像表示手段と、
前記映像表示手段の映像を可視化するための光源と、
前記光源の点滅制御を行うＰＷＭパルス発生手段と、
映像信号の走査線ごとの動き量に基いて前記走査線ごとの走査線動き判定信号を出力する動画検出手段と、
前フレームの消灯開始位相と、前記動画検出手段によって求められる現フレーム動画像領域の動き方向と、前記映像表示手段の画面走査線総数と、前記光源に対して設定されている輝度ｄｕｔｙ値と、所定の調整係数とに基いて現フレームの消灯開始位相を算出する消灯開始位相算出手段と、
前記消灯開始位相算出手段が算出した現フレームの消灯開始位相を指定する消灯開始位相信号を出力し、前記ＰＷＭパルス発生手段を制御するＰＷＭ制御手段と
を備える映像表示装置。
【請求項２】
前記消灯開始位相算出手段が、
前記動画検出手段によって求められる現フレーム動画像領域の動き方向が画面下方向であれば、
前フレームの消灯開始位相＋画面走査線総数×輝度ｄｕｔｙ値×調整係数
で、画面上方向であれば、
前フレームの消灯開始位相−画面走査線総数×輝度ｄｕｔｙ値×調整係数
で前記現フレームの消灯開始位相を算出する請求項1記載の映像表示装置。
【請求項３】
前記消灯開始位相算出手段が、
前記動画検出手段によって求められる現フレーム動画像領域の動き方向が画面下方向であれば、
前フレームの消灯開始位相＋画面走査線総数×輝度ｄｕｔｙ値×調整係数
で、画面上方向であれば、
前フレームの消灯開始位相−画面走査線総数×輝度ｄｕｔｙ値×調整係数
で暫定消灯開始位相を求め、
前記現フレーム動画像領域の動き方向が画面下方向であれば、
前記暫定消灯開始位相が前記現フレーム動画像領域の開始位相より小さい場合には前記暫定消灯開始位相を前記現フレームの消灯開始位相とし、前記暫定消灯開始位相が前記現フレーム動画像領域の開始位相以上である場合には前記現フレーム動画像領域の開始位相を前記現フレームの消灯開始位相とし、一方、
前記現フレーム動画像領域の動き方向が画面上方向であれば、
前記暫定消灯開始位相が前記現フレーム動画像領域の開始位相より大きい場合には前記暫定消灯開始位相を前記現フレームの消灯開始位相とし、前記暫定消灯開始位相が前記現フレーム動画像領域の開始位相以下である場合には前記現フレーム動画像領域の開始位相を前記現フレームの消灯開始位相とする
請求項１記載の映像表示装置。
【請求項４】
前記輝度ｄｕｔｙ値が所定の閾値以下になった場合に、
前フレームの消灯開始位相−画面走査線総数×輝度ｄｕｔｙ値×調整係数
で前記現フレームの消灯開始位相を算出し、前記現フレームの消灯開始位相が０以下になれば垂直帰線期間中のみ前記光源を点灯させるように前記ＰＷＭ制御手段に指示する輝度連動消灯開始位相指示手段を
さらに備える請求項１〜３いずれか１項記載の映像表示装置。
【請求項５】
入力された映像信号を映像表示手段に映し出す映像表示ステップと、
前記映像表示手段の映像を可視化するための光源の点滅制御を行うＰＷＭパルスを発生するＰＷＭパルス発生ステップと、
映像信号の走査線ごとの動き量に基いて前記走査線ごとの走査線動き判定信号を出力する動画検出ステップと、
前フレームの消灯開始位相と、前記動画検出ステップで求められる現フレーム動画像領域の動き方向と、前記映像表示手段の画面走査線総数と、前記光源に対して設定されている輝度ｄｕｔｙ値と、所定の調整係数とに基いて現フレームの消灯開始位相を算出する消灯開始位相算出ステップと、
前記消灯開始位相算出ステップで算出した現フレームの消灯開始位相を指定する消灯開始位相信号を出力し、前記ＰＷＭパルスの発生を制御するＰＷＭ制御ステップと
を備える映像表示方法。
【請求項６】
前記消灯開始位相算出ステップが、
前記動画検出ステップによって求められる現フレーム動画像領域の動き方向が画面下方向であれば、
前フレームの消灯開始位相＋画面走査線総数×輝度ｄｕｔｙ値×調整係数
で、画面上方向であれば、
前フレームの消灯開始位相−画面走査線総数×輝度ｄｕｔｙ値×調整係数
で前記現フレームの消灯開始位相を算出する請求項５記載の映像表示方法。
【請求項７】
前記消灯開始位相算出ステップが、
前記動画検出ステップによって求められる現フレーム動画像領域の動き方向が画面下方向であれば、
前フレームの消灯開始位相＋画面走査線総数×輝度ｄｕｔｙ値×調整係数
で、画面上方向であれば、
前フレームの消灯開始位相−画面走査線総数×輝度ｄｕｔｙ値×調整係数
で暫定消灯開始位相を求め、
前記現フレーム動画像領域の動き方向が画面下方向であれば、
前記暫定消灯開始位相が前記現フレーム動画像領域の開始位相より小さい場合には前記暫定消灯開始位相を前記現フレームの消灯開始位相とし、前記暫定消灯開始位相が前記現フレーム動画像領域の開始位相以上である場合には前記現フレーム動画像領域の開始位相を前記現フレームの消灯開始位相とし、一方、
前記現フレーム動画像領域の動き方向が画面上方向であれば、
前記暫定消灯開始位相が前記現フレーム動画像領域の開始位相より大きい場合には前記暫定消灯開始位相を前記現フレームの消灯開始位相とし、前記暫定消灯開始位相が前記現フレーム動画像領域の開始位相以下である場合には前記現フレーム動画像領域の開始位相を前記現フレームの消灯開始位相とする
請求項５記載の映像表示方法。
【請求項８】
前記輝度ｄｕｔｙ値が所定の閾値以下になった場合に、
前記ＰＷＭ制御ステップは、
前フレームの消灯開始位相−画面走査線総数×輝度ｄｕｔｙ値×調整係数
で前記現フレームの消灯開始位相を算出し、前記現フレームの消灯開始位相が０以下になれば垂直帰線期間中のみ前記光源を点灯させるように前記ＰＷＭパルスの発生を制御する請求項５〜７いずれか１項記載の映像表示方法。
【発明の詳細な説明】
【技術分野】
【０００１】
本発明は、液晶表示装置における画質向上、特に動画像表示における動画ボケを低減する技術に関するものである。
【背景技術】
【０００２】
液晶表示装置は、液晶パネル上のマトリクス状に配置した画素に対して、データ信号線および走査信号線に対する信号を制御して１フレームごとに画像データを１回書き込み、書き込んだ画像を次のデータ書き込みまで１フレーム間保持するホールド型の表示方式による表示装置である。
【０００３】
このようなホールド型表示方式では、隣接フレーム間で画像が変動しない静止画像領域の表示では問題はないが、隣接フレーム間で画像が変化する動画像領域の表示では、視覚の残像効果によって異なる画像が重畳し、液晶の応答速度にかかわらず動画ボケが発生するという問題がある。
【０００４】
このような動画ボケを抑えるために、動画像領域の画像データの書き込み区間ではバックライト光源を消灯して画面表示を行わせず、前画面の残像効果を消してから動画像領域の画像データの書き込み終了時点で書き替えられた画面を表示するといったＣＲＴ表示装置のようなインパルス型の表示方式が提案されている。
【０００５】
このような表示方式による映像表示装置の１つとして特許文献１に示された映像表示装置が提案されている。
【０００６】
上記従来の映像表示装置は、図９のブロック図で示したように、入力された映像信号を映し出す映像表示手段１１７と、映像表示手段１１７の映像を可視化するためのバックライトの光源１１６と、現フレームの映像信号と１フレーム前の映像信号を画素単位で比較して走査線上における動画像領域の有無を検出して走査線ごとの走査線動き判定信号を出力する動画検出手段１１２と、光源１１６の点滅制御を行うＰＷＭパルス信号を出力するＰＷＭパルス発生手段１１５と、動画検出手段１１２からの走査線動き判定信号によって動画像領域の開始時点から一定期間の走査線区間は光源１１６を消灯するようにＰＷＭパルス発生手段１１５を制御するＰＷＭ制御手段１１４とを備えている。
【０００７】
ＰＷＭパルス発生手段１１５の発生するＰＷＭパルス信号が、Ｈｉｇｈ区間では光源１１６を点灯させ、Ｌｏｗ区間では光源１１６を消灯させることによって、映像表示手段１１７の輝度ｄｕｔｙが制御される。
【０００８】
ＰＷＭ制御手段１１４は、動画像領域の先頭走査線から一定数の走査線区間で光源１１６が消灯するようにＰＷＭパルス発生手段１１５を制御する。
【０００９】
上記従来の映像表示装置では、図１０の光源１１６の消灯動作の説明図に示したように、ＰＷＭ制御手段１１４によって動画像領域の開始走査線から一定期間ＰＷＭパルス発生手段１１５から出力されるＰＷＭパルス信号をＬｏｗにして光源１１６を消灯することで、映像表示手段１１７の画面が動画像領域のデータ書き込み期間は非表示となるように消灯が行われている。
【００１０】
このように、画像が変化する動画像領域の書き込み区間では映像表示手段１１７の画面表示が行われず、前画面の残像効果が消えてから新しい画面が表示されるため、画像ボケのない画面表示が可能となる。
【００１１】
また、図１０に示したように、表示画面上で動画像領域が移動した場合には、移動が発生したフレームにおいて移動した動画像領域の開始位置に対応して消灯開始位相を変更する（以下、消灯開始位相の変更幅を追従遷移幅と称する）。
【先行技術文献】
【特許文献】
【００１２】
【特許文献１】国際公開第２００８／１５５８８９ 号
【発明の概要】
【発明が解決しようとする課題】
【００１３】
上記従来の映像表示装置では、新旧画面の重畳による動画ボケを防ぐために、動画像領域の開始位置の移動に追従して消灯開始位相の変更を行っている。
【００１４】
しかしながら、動画像領域の移動速度が速くなると消灯開始位相の変更幅である追従遷移幅も大きくなって光源の点灯／消灯の比率が急激に変化し、表示画面の輝度の急激な変化によるパカツキが発生し易くなるといった問題がある。
【００１５】
一方、追従遷移幅が小さくなるよう制限してパカツキの発生を抑制すると、動画像領域の移動に消灯区間が追従できずに動画ボケが発生してしまうことになる。
【００１６】
本発明は、動画像領域の移動に対して、パカツキの発生を抑制しながら動画ボケを生じさせない、より好適な消灯開始位相の変更方法およびその方法を利用した映像表示装置を提供することを目的とする。
【課題を解決するための手段】
【００１７】
上記課題を解決するために、本発明の映像表示装置は、入力された映像信号を映し出す映像表示手段と、映像表示手段の映像を可視化するための光源と、光源の点滅制御を行うＰＷＭパルス発生手段と、映像信号の走査線ごとの動き量に基いて走査線ごとの走査線動き判定信号を出力する動画検出手段と、前フレームの消灯開始位相と、動画検出手段によって求められる現フレーム動画像領域の動き方向と、映像表示手段の画面走査線総数と、光源に対して設定されている輝度ｄｕｔｙ値と、所定の調整係数とに基いて現フレームの消灯開始位相を算出する消灯開始位相算出手段と、消灯開始位相算出手段が算出した現フレームの消灯開始位相を指定する消灯開始位相信号を出力し、ＰＷＭパルス発生手段を制御するＰＷＭ制御手段とを備えることで、パカツキが目立たない範囲で消灯開始位相を順次変更することができ、動画ボケ抑制とパカツキ抑制を両立させた高画質な映像表示を提供することができる。
【００１８】
さらに、本発明の映像表示装置は、動画検出手段によって求められる現フレーム動画像領域の動き方向が画面下方向であれば、（前フレームの消灯開始位相＋画面走査線総数×輝度ｄｕｔｙ値×調整係数）で、画面上方向であれば、（前フレームの消灯開始位相−画面走査線総数×輝度ｄｕｔｙ値×調整係数）で現フレームの消灯開始位相を消灯開始位相算出手段が算出するようにすることで、画面の大きさおよび設定された輝度ｄｕｔｙに好適な消灯開始位相の制御を行うことができ、動画ボケ抑制とパカツキ抑制を両立させた高画質な映像表示を提供することができる。
【００１９】
さらに、本発明の映像表示装置は、動画検出手段によって求められる現フレーム動画像領域の動き方向が画面下方向であれば、（前フレームの消灯開始位相＋画面走査線総数×輝度ｄｕｔｙ値×調整係数）で、画面上方向であれば、（前フレームの消灯開始位相−画面走査線総数×輝度ｄｕｔｙ値×調整係数）で暫定消灯開始位相を求め、現フレーム動画像領域の動き方向が画面下方向であれば、暫定消灯開始位相が現フレーム動画像領域の開始位相より小さい場合には暫定消灯開始位相を現フレームの消灯開始位相とし、暫定消灯開始位相が現フレーム動画像領域の開始位相以上である場合には現フレーム動画像領域の開始位相を現フレームの消灯開始位相とし、一方、現フレーム動画像領域の動き方向が画面上方向であれば、暫定消灯開始位相が現フレーム動画像領域の開始位相より大きい場合には暫定消灯開始位相を現フレームの消灯開始位相とし、暫定消灯開始位相が現フレーム動画像領域の開始位相以下である場合には現フレーム動画像領域の開始位相を現フレームの消灯開始位相を消灯開始位相算出手段が算出するようにすることで、画面の大きさおよび設定された輝度ｄｕｔｙに加え、動画像領域の移動方向も考慮した際の好適な消灯開始位相の制御を行うことができ、動画ボケ抑制とパカツキ抑制を両立させた高画質な映像表示を提供することができる。
【００２０】
また、本発明の映像表示装置は、輝度ｄｕｔｙ値が所定の閾値以下になった場合に、消灯開始位相を現在の値から段階的に０まで減らして消灯開始位相が０になれば垂直帰線期間中のみ光源を点灯させるようにＰＷＭ制御手段に指示する輝度連動消灯開始位相指示手段をさらに備えることで、輝度ｄｕｔｙの設定値が閾値以下になった低輝度状態では画像表示期間は光源をオフにすることができ、動画ボケとパカツキの両方を抑制した高画質な映像表示を提供することができる。
【発明の効果】
【００２１】
本発明の映像表示装置および映像表示方法は、動画像領域を検出した際に、消灯開始位相をフレームごとに動画像領域の開始位置に対応した位相までパカツキの目立たない大きさで順次近づけるものであり、動画ボケとパカツキの両方を抑制した高画質な映像表示を提供することができる。
【図面の簡単な説明】
【００２２】
【図１】本発明の実施の形態１の映像表示装置の構成を示すブロック図である。
【図２】本発明の実施の形態２の映像表示装置の構成を示すブロック図である。
【図３】本発明の実施の形態１の映像表示装置における動画像領域の下方移動時前半の消灯動作の説明図である。
【図４】本発明の実施の形態１の映像表示装置における動画像領域の下方移動時後半の消灯動作の説明図である。
【図５】本発明の実施の形態１の映像表示装置における動画像領域の上方移動時前半の消灯動作の説明図である。
【図６】本発明の実施の形態１の映像表示装置における動画像領域の上方移動時後半の消灯動作の説明図である。
【図７】本発明の実施の形態１の映像表示装置における消灯開始位置が動画像領域内に入る場合の消灯動作の説明図である。
【図８】本発明の実施の形態２の映像表示装置における輝度ｄｕｔｙ値が所定の閾値以下になった場合の消灯動作の説明図である。
【図９】従来の映像表示装置の構成を示すブロック図である。
【図１０】従来の映像表示装置における消灯動作の説明図である。
【発明を実施するための形態】
【００２３】
以下に、本発明の実施の形態を図１〜図８を用いて説明する。
【００２４】
（実施の形態１）
図１は、本発明の実施の形態１における映像表示装置の構成を示すブロック図である。
【００２５】
図１に示すように、本発明の実施の形態１における映像表示装置は、液晶表示パネルを含む映像表示手段１７と、ＣＣＦＬ／ＥＥＦＬなどの管光源やＬＥＤ光源など映像表示手段１７を照射するバックライトとしての光源１６と、光源１６の点滅制御を行うＰＷＭパルス発生手段１５と、ＰＷＭパルス発生手段１５の制御を行うＰＷＭ制御手段１４と、映像表示手段１７に表示される動画像領域を検出する動画検出手段１２と、光源１６の消灯開始位相の決定に必要な追従遷移幅を算出する追従遷移幅算出手段１３とを備える。
【００２６】
映像表示手段１７は、入力された映像信号を液晶表示パネルのマトリクス状に配置された画素に対してデータ信号線および走査信号線を用いて１フレームごとに画像データを１回書き込み、その画像データを次のデータ書き込みまで１フレーム間保持するホールド型の表示装置である。
【００２７】
光源１６は、ＰＷＭパルス発生手段１５から出力されるＰＷＭパルス信号に基いて点灯／消灯を行い、映像表示手段１７の液晶表示パネルに書き込まれた画像データを可視化させるものである。
【００２８】
光源輝度設定手段１１は、映像表示手段１７の画面の輝度ｄｕｔｙを設定する手段であり、この設定値に基いてＰＷＭ制御手段１４がＰＷＭパルス発生手段１５を制御してＰＷＭパルス信号による光源１６の点滅制御が行われる。また、この光源輝度設定手段１１を介して、映像の特徴量に応じた輝度設定、外光に応じた輝度設定、ユーザーによる任意の輝度設定が行われる。
【００２９】
動画検出手段１２は、現フレームの映像信号と１フレーム前の映像信号を各走査線ごとに画素単位で比較することで動画像領域を検出すると同時に、走査線ごとに走査線動き判定信号を出力する。
【００３０】
追従遷移幅算出手段１３は、映像表示手段１７の画面サイズや光源輝度設定手段１１により設定された輝度ｄｕｔｙおよびパカツキが目立たないように設定された調整係数を用いてパカツキを抑制するように下記の（式１）に基づき、消灯開始位相の前フレームに対する変更幅である追従遷移幅（Ｔ）を算出して、ＰＷＭ制御手段１４に出力する。
【００３１】
Ｔ＝画面走査線総数×輝度ｄｕｔｙ値×調整係数  （式１）
ＰＷＭ制御手段１４は、光源輝度設定手段１１からの輝度ｄｕｔｙと動画検出手段１２からの走査線動き判定信号と追従遷移幅算出手段１３からの追従遷移幅Ｔに基づき、動画像領域が画面下方に移動する場合および画面上方に移動する場合のそれぞれに対して下記の（式２）および（式３）のそれぞれで消灯開始位相を算出し、輝度ｄｕｔｙに基づくその他の制御信号と共にＰＷＭパルス発生手段１５に出力する。
【００３２】
消灯開始位相＝前フレームの消灯開始位相＋Ｔ  （式２）
消灯開始位相＝前フレームの消灯開始位相−Ｔ  （式３）
ＰＷＭパルス発生手段１５は、ＰＷＭ制御手段１４からの消灯開始位相およびその他の制御信号を受けて、光源１６の点滅制御を行うＰＷＭパルス信号を出力する。
【００３３】
上記のように光源１６が点滅制御されることで、動画像領域の画像データの書き込み区間が光源１６の消灯による消灯区間となって画面表示がされない。これにより、時間的に隣接するフレームの動画像領域の画像重畳による動画ボケが抑えられる。さらに、消灯開始位相を段階的に変更するため、表示画面の輝度変化が制限されてパカツキの発生が抑制される。
【００３４】
まず、図３、図４を用いて、動画像領域が画面下方に移動する場合の、消灯開始位相の変化について説明する。
【００３５】
図３の最初のフレームは、画面上端に対応する位相（フレームの開始位相）から画面下方向に移動する動画領域Ａの開始位置に対応する位相まで光源１６がオンされ、動画領域Ａの開始位置に対応する位相（現フレームの消灯開始位相）以降は光源１６をオフすることで、光源輝度設定手段１１で設定された輝度ｄｕｔｙ幅（ＤＷ）が実現されている状態を示している。
【００３６】
図３の２番目のフレームでは、動画領域Ａの画面下方への移動に伴って消灯開始位相を動画領域Ａの開始位置まで下方へ移動する必要があるが、その移動幅はパカツキを抑制するために（式１）で求められる追従遷移幅（Ｔ）に制限される。したがって、２番目のフレームの消灯開始位相は、（式２）に基いて最初のフレームの消灯開始位相に追従遷移幅（Ｔ）を加えることで求められる。この時、光源１６のオン期間（以下では、第１の実輝度期間と称す）は、設定された輝度ｄｕｔｙ幅（ＤＷ）に追従遷移幅（Ｔ）だけ加わった期間となっている（すなわち、図３の最初のフレームより実際の輝度ｄｕｔｙが高くなっている）。
【００３７】
以下、消灯開始位相が動画領域Ａの開始位置に対応した位相になるまでは、フレームごとに第１の実輝度期間が（式１）で求められる追従遷移幅（Ｔ）だけ下方に移動し、最終的には図４の最後のフレームに示したように消灯開始位相は動画領域Ａの開始位置に対応した位相に一致し、第１の実輝度期間の幅は設定された輝度ｄｕｔｙ幅（ＤＷ）となる。
【００３８】
なお、第１の実輝度期間を（式１）で求められる追従遷移幅（Ｔ）だけ下方に移動させると動画領域Ａにかかってしまう場合（図４の最初のフレームの場合）には、後で詳述するように（式１）で求められる追従遷移幅（Ｔ）を補正する（図４の最初のフレームのＴ‘）。
【００３９】
次に、図５、図６を用いて、動画像領域が画面上方に移動する場合の、消灯開始位相の変化について説明する。
【００４０】
図５の最初のフレームは、画面上方に移動する動画領域Ａの開始位置に対応する位相より光源輝度設定手段１１で設定された輝度ｄｕｔｙ幅（ＤＷ）分小さい位相から動画領域Ａの開始位置に対応する位相まで光源１６をオンし、それ以外のところで光源１６をオフした状態を示している。
【００４１】
図５の２番目のフレームでは、動画領域Ａの画面上方への移動に伴って消灯開始位相を動画領域Ａの開始位置まで上方へ移動する必要があるが、その移動幅はパカツキを抑制するために（式１）で求められる追従遷移幅（Ｔ）に制限される。したがって、２番目のフレームの消灯開始位相は、（式３）に基いて最初のフレームの消灯開始位相から追従遷移幅（Ｔ）を減じることで求められる。この時、動画領域が画面下方に移動する場合と異なり、光源１６のオン期間（以下では、第２の実輝度期間と称す）は、設定された輝度ｄｕｔｙ幅（ＤＷ）から追従遷移幅（Ｔ）だけ減じた期間となっている（すなわち、図５の最初のフレームより実際の輝度ｄｕｔｙが低くなっている）。
【００４２】
以下、消灯開始位相が動画領域Ａの開始位置に対応した位相になるまでは、フレームごとに第２の実輝度期間が（式１）で求められる追従遷移幅（Ｔ）だけ上方に移動し、最終的には図６の最後のフレームに示したように消灯開始位相は動画領域Ａの開始位置に対応した位相に一致する。
【００４３】
なお、第２の実輝度期間を（式１）で求められる追従遷移幅（Ｔ）だけ上方に移動させると動画領域Ａから外れる場合には、後で詳述するように（式１）で求められる追従遷移幅（Ｔ）を補正し、消灯開始位相が動画領域Ａの開始位置に対応した位相に一致させて、図６の状態にする。
【００４４】
ここで、図３、図４で説明した動画領域Ａが画面下方向に移動する際の消灯開始位相の更新において、消灯開始位相が動画領域Ａに対応した位相区間内に入る場合について、図７を用いて説明する。
【００４５】
ＰＷＭ制御手段１４は、動画検出手段１２で検出された動画像領域の移動方向を示す動き判定信号と追従遷移幅算出手段１３で算出された追従遷移幅（Ｔ）に基いて消灯開始位相を算出する。
【００４６】
動画領域Ａが画面下方向に移動する場合は、
暫定消灯開始位相＝前フレームの消灯開始位相＋Ｔ  （式４）
で暫定消灯開始位相を算出する。
【００４７】
その後、暫定消灯開始位相を現フレームの動画領域Ａの開始位置に対応する位相と比較し、暫定消灯開始位相が現フレームの動画領域Ａの開始位置に対応する位相よりも小さければ暫定消灯開始位相をそのまま現フレームの消灯開始位相とし、大きければ、動画領域Ａの描画中は光源１６を消灯して画像重畳による動画ボケを抑制するために、現フレームの動画領域Ａの開始位置に対応する位相を現フレームの消灯開始位相とする。暫定消灯開始位相が動画領域Ａの開始位置に対応する位相より大きい場合、現フレームの消灯開始位相と前フレームの消灯開始位相の差分を補正された追従遷移幅（Ｔ‘）とする。
【００４８】
同様に、図５、図６で説明した動画領域Ａが画面上方向に移動する際の消灯開始位相の更新において、消灯開始位相が動画領域Ａの開始位相に対応した位相より小さくなる場合は、
暫定消灯開始位相＝前フレームの消灯開始位相−Ｔ  （式５）
で暫定消灯開始位相を算出する。
【００４９】
その後、暫定消灯開始位相を現フレームの動画領域Ａの開始位置に対応する位相と比較し、暫定消灯開始位相が現フレームの動画領域Ａの開始位置に対応する位相よりも大きければ、設定された輝度ｄｕｔｙに対する消灯開始位相の変更に伴う輝度変化によるパカツキを目立たない範囲とするために、暫定消灯開始位相をそのまま現フレームの消灯開始位相とし、小さければ現フレームの動画領域Ａの開始位置に対応する位相を現フレームの消灯開始位相とする。暫定消灯開始位相が動画領域Ａの開始位置に対応する位相より小さい場合、前フレームの消灯開始位相と現フレームの消灯開始位相の差分を補正された追従遷移幅とする。
【００５０】
以上の通り、本発明の実施の形態１によれば、動画像領域の移動方向を考慮して算出した消灯開始位相に基いて光源１６が点滅制御されることで、動画像領域での動画ボケとパカツキの両方を抑制した高画質の映像表示を実現することができる。
【００５１】
（実施の形態２）
図２は、本発明の実施の形態２における映像表示装置の構成を示すブロック図であり、液晶表示パネルを含む映像表示手段１７と、ＣＣＦＬ／ＥＥＦＬなどの管光源やＬＥＤ光源などのバックライトとして用いられる光源１６と、動画検出手段１２と、追従遷移幅算手段出１３と、光源１６の点滅制御を行うＰＷＭパルス発生手段１５と、ＰＷＭパルス発生手段１５を制御するＰＷＭ制御手段１４と、輝度連動消灯開始位相制御手段１８とを備えている。
【００５２】
なお、輝度連動消灯開始位相制御手段１８以外の各手段は実施の形態１で説明したものと同様なので以下では説明を省略する。
【００５３】
図８は、輝度ｄｕｔｙが所定の閾値以下になった場合の消灯動作を説明する図である。
【００５４】
図８の最初のフレームは、光源輝度設定手段１１で輝度ｄｕｔｙ（ＤＷ）が閾値以下の低輝度に設定された場合に、画面上端に対応する位相（フレームの開始位相）から画面下方向に移動する動画領域Ａの開始位置に対応する位相まで光源１６がオンされ、動画領域Ａの開始位置に対応する位相（現フレームの消灯開始位相）以降は光源１６をオフすることで閾値以下の低輝度が実現されている状態を示している。
【００５５】
輝度ｄｕｔｙが閾値以下の低輝度に設定されると、パカツキを抑制するためには光源１６を垂直帰線期間中のみ点灯して映像表示期間中は消灯することが必要となるが、いきなり光源１６を垂直帰線期間中のみ点灯するようにするとパカツキが目立ってしまう。
【００５６】
そこで、輝度連動消灯開始位相制御手段１８は、輝度ｄｕｔｙが所定の閾値以下になったことを検出すると、図８の２番目のフレームに示されたように、映像表示の開始位置（垂直帰線期間の終了位置）に対応した位相に近づくように、消灯開始位相をフレームごとに（式１）で求められる追従遷移幅（Ｔ）だけ上方に移動させ、最終的には図８の最後のフレームに示したように、光源１６を垂直帰線期間中でのみ点灯させることとなる。なお、消灯開始位相が（式１）で求められる追従遷移幅（Ｔ）だけ上方に移動された位相が垂直帰線期間の終了位置より小さい場合（垂直帰線期間より上方に消灯開始位相が（式１）で求められる追従遷移幅（Ｔ）だけ上方に移動された位相が存在する場合）は、追従遷移幅（Ｔ）を補正し垂直帰線期間の終了位置を消灯開始位相とする。
【００５７】
以上の通り、本発明の実施の形態２によれば、輝度ｄｕｔｙが所定の閾値以下になった場合でも、動画像領域での動画ボケとパカツキの両方を抑制した高画質の映像表示を実現することができる。
【００５８】
なお、上記実施例１および２においては、光源１６をオフする期間を一定に保ち、光源１６をオンする期間を追従遷移幅（Ｔ）分変化させ、追従遷移幅（Ｔ）ずつ消灯開始位相を変化させるケースについて説明したが、逆に、光源１６をオンする期間を一定に保ち、光源１６をオフする期間を追従遷移幅（Ｔ）分変化させ、追従遷移幅（Ｔ）ずつ点灯開始位相を変化させることとしても良い。
【産業上の利用可能性】
【００５９】
本発明の表示方式のバックライトを有する液晶テレビや光源を有するプロジェクタなどへの適用によって、動画ボケおよびパカツキの両方を抑制した高画質な映像表示装置を提供することができる。
【符号の説明】
【００６０】
１１    光源輝度設定手段
１２    動画検出手段
１３    追従遷移幅算出手段
１４    ＰＷＭ制御手段
１５    ＰＷＭパルス発生手段
１６    光源
１７    映像表示手段
１８    輝度連動消灯開始位相制御手段
１１２    動画検出手段
１１４    ＰＷＭ制御手段
１１５    ＰＷＭパルス発生手段
１１６    光源
１１７    映像表示手段
【図１】
2013061362.tif 000003
【図２】
2013061362.tif 000004
【図３】
2013061362.tif 000005
【図４】
2013061362.tif 000006
【図５】
2013061362.tif 000007
【図６】
2013061362.tif 000008
【図７】
2013061362.tif 000009
【図８】
2013061362.tif 000010
【図９】
2013061362.tif 000011
【図１０】
2013061362.tif 000012